(57)【要約】【課題】Ｘ線被爆防止用の開閉箱Ｋを上下動させるガススプリング１の長期使用に耐えるＸ線分析装置を提供する。【解決手段】Ｘ線分析装置の固定枠Ｗにガススプリング１の基端側を連結するための係止枠４を設け、この係止枠４を前記固定枠Ｗに対して相対的に変異可能に設置し、ガススプリング１の長期使用に対しては、ガススプリング１の基端側を固定枠Ｗに対して係止させる位置をこの係止枠４にて変異させ、ガススプリング１の伸張力による開閉箱Ｋの上方向作動力を増加させるようにしたものである。【選択図】          図１
2011022163.tif 000002
【特許請求の範囲】
【請求項１】
試料にＸ線を透過させ試料の分析を行う分析装置であって、Ｘ線被曝防止のために分析室を覆う開閉可能な開閉箱を備え、この開閉箱の一端側を分析装置の固定枠に対して上下方向に揺動可能に係止させるとともに他端側には基端部が分析装置の固定枠に係止されたガススプリングの先端が係止され、ガススプリングの伸縮にて前記開閉箱が上下方向に揺動し分析室の開放、密閉状態を可能にしたＸ線分析装置において、ガススプリングの基端部を分析装置の固定枠に係止させる位置を変更させる係止位置変更手段を設けたことを特徴とするＸ線分析装置。
【請求項２】
係止位置変更手段は、ガススプリングの基端部が係止された係止枠と、この係止枠を固定枠に対してガススプリングの伸張力を増大させる方向に変位させる位置変位手段にて構成されていることを特徴とする請求項１記載のＸ線分析装置。
【請求項３】
係止枠の位置変更手段は、係止枠に穿設された溝と、この溝に挿通され固定枠に付設された固定用ボルトとからなり、この固定用ボルトを弛緩締結させるよう構成されていることを特徴とする請求項１記載のＸ線分析装置。
【発明の詳細な説明】
【技術分野】
【０００１】
本発明は、試料にＸ線を照射させこの結果試料から出てくる蛍光Ｘ線を検出器にて検出し、試料の成分元素を分析するＸ線分析装置に関する。
【背景技術】
【０００２】
本発明は、この種Ｘ線分析装置においてＸ線被曝防護のため分析室を覆う開閉箱を開閉作動させる構造に関する。
従来におけるＸ線分析装置は、図７から図９に示す構成をなしている。図７は正面図であり図８は上方から見た平面図である。なおこれらの図において破線で示す部品はＸ線分析を行う分析機器でＸ線分析装置に内設されている。Ｓは分析室内の試料台Ｌ上にある試料でＸ線管ＲからのＸ線が照射される。照射された試料Ｓからは蛍光Ｘ線が発生しこの蛍光Ｘ線が検出器Ｄにて検出され成分元素が測定される。試料Ｓの分析を行う分析室ＫＲは、試料台Ｌの上方で且つ底面が欠けた矩形の開閉箱Ｋが上方から覆いかぶされる空間で形成されるが、この分析室ＫＲにより測定操作者が被曝されないように機能する。
【０００３】
試料台Ｌの下方はＸ線管Ｒと検出器Ｄが配設された室で密閉状態に構成されているがその右方上方位置において試料台Ｌに一体的に固定された固定枠Ｗが設けられ、この固定枠Ｗに開閉箱Ｋをガススプリング１にて上下方向に作動させて分析室の開閉を行う開閉駆動機構Ｍが設けられている。
【０００４】
他方試料台Ｌの右方側は検出器Ｄを冷却するための液化窒素ガスタンク（図示せず）や電気制御系の機器が内設された制御調整室Ｃが配設されている。図８は上述のとおりＸ線分析装置を上方から見た平面図で、図８において図７に示す符号と同一の部品は図７と同一の機能を示すものであり、詳細な説明は省略する。
【０００５】
ところでガススプリング１による開閉駆動機構Ｍは、図７に示すとおりで、ガススプリング１の基端１Ｋは連結ピン２を介して固定枠Ｗに連結され、他方の先端１Ｓは連結ピン３を介して開閉箱Ｋの左方端側に連結されている。開閉箱Ｋには保持枠５が一体的に結合されており、しかもこの保持枠５は試料台Ｌに固定された固定枠Ｗに対して支軸６を介して係止されている。すなわち、保持枠５は固定枠Ｗに対して係止されこの係止によって開閉箱Ｋが支軸６を中心として時計方向に揺動可能となっている。
【０００６】
以上の構成であるからガススプリング１が伸張力を発生させると力学的には図９に示すとおり連結ピン３を上方向に付勢する作動力Ｐ１が発生し、開閉箱Ｋは支軸６を中心に時計方向に揺動する。図１０はこの状態を示している。この状態においては試料Ｓの取換え設置が行われＸ線による分析は行われない。
【０００７】
Ｘ線分析装置では、分析試料を透過したＸ線に使用者が被曝する危険をなくすため、分析試料を収納し分析する分析室にＸ線遮蔽扉を設けるのが通常である。この遮蔽のための開閉箱ＫはＸ線の透過を防止するために必要な厚さの遮蔽材料で製作することが重要である。たとえば鉄を遮蔽材料として使用する場合は、３．２ｍｍ程度の厚さが必要で、分析の操作者等による手操作で繰り返し開閉操作するには困難な重量となる。すなわちたとえば開閉箱の大きさが４００×４００×１５０ｍｍの外形寸法では重量が１０ｋｇ程度となる。
【０００８】
そこで開閉箱Ｋを開閉作動させる作動力を軽減させるために、扉の重量を保持する１つの手段として、ガススプリング１を使用する方法が採用されている（特許文献１参照）。ガススプリング１はストローク全長にわたって伸張力があり、開閉箱Ｋの全閉状態から全開状態まで、開閉箱Ｋの重量を支えることができる。ガススプリング１の基端１Ｋは分析装置の固定枠Ｗに係止させ、他方の先端１Ｓは開閉箱Ｋの係止側と反対の側に、各々揺動可能に係止されている。
【先行技術文献】
【特許文献】
【０００９】
【特許文献１】特開２００４−１６９４５０号公報
【発明の概要】
【発明が解決しようとする課題】
【００１０】
ガススプリング１は操作回数（扉の開閉回数）または経過時間によって伸張力が低下するため、開閉箱Ｋを揺動作動させる一定の作動力を維持しようとすれば、定期的な交換が必要となる。開閉箱Ｋの開閉が頻繁であれば、装置の寿命期間内で数回の交換が予想される。たとえば、４００００回で伸張力が２０％低下する特性であれば、１日１００回の開閉を１年間継続し、３６５００回開閉したところでは操作がかなり重くなることが予想される。
【課題を解決するための手段】
【００１１】
本発明が第１に提供するＸ線分析装置は、上記課題を解決するために、ガススプリングの基端を分析装置の固定枠に係止させる係止位置を変更可能にする係止位置変更手段を設けたもので、伸張力が一定量まで低下した場合は、ガススプリングの固定枠に対する係止位置を変更できるようにしたものである。具体的には、ガススプリングの基端を分析装置の固定枠に係止させる係止枠を備え、この係止枠を分析装置に対して固定する固定位置を変更できるようにしたものである。したがって、ガススプリングの伸長力を増大させることができる。
本発明が第２に提供するＸ線分析装置は、上記課題を解決するために、係止位置変更手段は、ガススプリングの基端部が係止された係止枠と、この係止枠を固定枠に対してガススプリングの伸張力を増大させる方向に変位させる位置変位手段にて構成されたものである。したがって、変更の操作性が向上する。
さらに本発明が第３に提供するＸ線分析装置は、係止枠の位置変更手段が、係止枠に穿設された溝と、この溝に挿通され固定枠に付設された固定用ボルトとからなり、この固定用ボルトを弛緩締結させるよう構成されたものである。したがって、位置変更を固定用ボルトの弛緩締結操作のみで実現できる。
係止位置の変更はガススプリングの伸張力を増大させる方向であることが原則で、ガススプリングの伸張力は、開閉箱に係止するガススプリング軸に作用し、この軸の回転軌跡の接線方向の分力が、開閉箱の重量を保持するよう機能する。
【発明の効果】
【００１２】
ガススプリングの交換回数が少なくなり、作業工数および部品費等を低減できる効果があるとともに、操作性が容易なＸ線分析装置を提供する。
【発明を実施するための形態】
【００１３】
本発明の特徴とする点は分析室ＫＲの遮蔽を行う開閉箱を上下方向に揺動作動させるガススプリングの基端側の係止位置すなわち分析装置の固定枠に対する係止位置を変更できるようにしたものである。この変更手段を簡略に構成したものあるいは変更操作を容易にする構造を備えたＸ線分析装置が最良の形態である。
【実施例１】
【００１４】
本発明が提供する第１の実施例は図１から図６に示すとおりである。本発明は図１に示すとおりガススプリング１の基端１Ｋを固定枠Ｗに対して直接的に連結しないで、係止枠４を介して固定枠Ｗに連結した点である。なお、図１は従来におけるＸ線分析装置を示す図７と同様の方向からＸ線分析装置を見た図で、図７と同一の符号で示される部品は図７と同一の部品でありその機能等についての詳述は省略する。
【００１５】
本発明の要部である係止枠４は図６に拡大して示すとおり、概略３角形状をなし、上方にガススプリング１の基端１Ｋが連結ピン２を介して連結されている。この係止枠４は後述するように固定枠Ｗに対しては相対的に変位可能に対置されている。すなわち、この係止枠４には右上から左下に傾斜した短尺溝ＳＭと長尺溝ＬＭが形成されている。この両溝ＳＭ、ＬＭは固定用ボルトＶ１〜Ｖ３が挿通できる幅を有して穿設されている。したがって固定用ボルトＶ１〜Ｖ３を弛緩、締結の操作にて係止枠４を矢印方向に変位可能にしたものである。
【００１６】
本発明の要部である係止枠４は以上のような構造となっており、図１に示す位置にて固定枠Ｗに固定設置される。この位置は従来における状態すなわち図７の位置と同様であるが、図２に示すとおり、ガススプリング１の伸張力の発生によって、開閉箱Ｋを揺動させる作動力Ｐ１が発生する。したがって、図３に示すとおり開閉箱Ｋは上方に向けての作動力が作用して揺動し開放される。このような開閉箱Ｋの開閉が繰り返され、ガススプリング１の長期使用により伸張力が低下した場合は、作動力を増加させる必要がある。すなわち、作動力が増加されるように係止枠４の位置を変更する必要がある。そのために図６に示す係止枠４において、三本の固定用ボルトＶ１〜Ｖ３を夫々緩めて係止枠４を矢印方向に変位させる。この下方への変位にて図４に示す状態にし、固定用ボルトＶ１〜Ｖ３を締め付けて固定する。
【００１７】
この係止枠４の変位によると図５に示すとおり、ガススプリング１から発生する伸張力によって開閉箱Ｋを作動させる作動力Ｐ２が発生する。この作動力Ｐ２は、図２の状態における作動力Ｐ１と比較するとＰ１＜Ｐ２の関係となり増加される。したがってガススプリング１の伸張力が低下しても開閉箱Ｋを上方に押し上げる作動力Ｐ２は増加され開閉箱Ｋの開閉作動に支障が生じることはない。すなわち開閉箱Ｋの開閉作動力を増加させる必要はなくなる。
【００１８】
上記説明では固定用ボルトＶ１〜Ｖ３を緩めて一度に係止枠４の位置を最下位に変移させる例を示したが、長尺溝ＬＭと短尺溝ＳＭには中間位置にて固定用ボルトＶ１〜Ｖ３で固定できるように設定されていて、ガススプリング１の伸張力が低下した程度に応じて係止枠４の位置を微細に位置調整することもできる。
なお、図１から図１０において同一の符号で示される部品はそれぞれの図面において説明した部品と同一で同一の機能を有するものであり、詳細な説明は省略している。
【００１９】
以上本発明の構成、特徴を詳述したが、本発明は上記実施例に限定されるものではなく種々の変形例を挙げることができる。特に本発明の要旨であるガススプリング１をＸ線分析装置の固定枠に連結する地点を可変にしてその伸張力を増大させる機構については、図示例に示す係止枠を利用する以外にたとえばガススプリング１の基端を直接的に固定枠Ｗに係止させる形式にすることもできる。この場合、係止点を複数個上下方向に設けるようにして伸張力を増幅させるようにしてもよい。
【００２０】
ただし、実施例の係止枠４は構造簡略で操作性、連結性に優れている。係止枠４は金具で製作しても良いが、強化プラスチック材で構成してもよい。また係止枠４の実施例は三本の固定用ボルトＶ１〜Ｖ３による固定方式であるが、固定用ボルトの本数を二本あるいは四本とすることもできる。このように係止枠４の形状、材質、固定用ボルトの個数等については種々の変形例をあげることができ、図示例に限定されない。
【００２１】
本発明はガススプリングにて重量体の扉や枠体を上下動させる分析機器に有効に利用できる。
【図面の簡単な説明】
【００２２】
【図１】本発明によるＸ線分析装置を正面から見た図である。
【図２】ガススプリングの伸張力による力学的な関係を示す図である。
【図３】ガススプリングの伸張力にて開閉箱が作動した状態を示す図である。
【図４】係止枠を変位させた例を示す図である。
【図５】係止枠の変位による力学的な関係を示す図である。
【図６】係止枠を拡大して示す図である。
【図７】Ｘ線分析装置を正面から示す図である。
【図８】従来におけるＸ線分析装置を示す図である。
【図９】従来におけるガススプリングの伸張力の力学的な関係を示す図である。
【図１０】従来におけるガススプリングにより開閉箱を開放した状態を示す図である。
【符号の説明】
【００２３】
１  ガススプリング
１Ｋ  基端
１Ｓ  先端
２  連結ピン
３  連結ピン
４  係止枠
５  保持枠
６  支軸
Ｃ  制御調整室
Ｄ  検出器
Ｋ  開閉箱
ＫＲ  分析室
Ｌ  試料台
ＬＭ  長尺溝
Ｍ  開閉駆動機構
Ｐ１  作動力
Ｐ２  作動力
Ｒ  Ｘ線管
Ｓ  試料
ＳＭ  短尺溝
Ｖ１  固定用ボルト
Ｖ２  固定用ボルト
Ｖ３  固定用ボルト
Ｗ  固定枠
【図１】
2011022163.tif 000003
【図２】
2011022163.tif 000004
【図３】
2011022163.tif 000005
【図４】
2011022163.tif 000006
【図５】
2011022163.tif 000007
【図６】
2011022163.tif 000008
【図７】
2011022163.tif 000009
【図８】
2011022163.tif 000010
【図９】
2011022163.tif 000011
【図１０】
2011022163.tif 000012